(57)【要約】【課題】肉声による音声メッセージを再生可能な紙媒体を実現すること。【解決手段】音声受付センター１２が電報依頼者１０から音声メッセージの添付指示を受けて、該依頼者側の電話機１１からＰＳＴＮ１４経由で前記依頼者１０の発声による音声メッセージの音声データを受け取る。音声メモリ書込み装置２２が音声受付センター１２から音声データを受け取り音声メモリ３７に書き込む。前記音声データの書き込まれた音声メモリ３７が組み込まれた音声チップ３３と前記音声メモリ３７から音声データに対応した電気信号が印加される圧電振動素子３４とを電文内容が印刷された電報カード台紙２３に取り付けて電報カードを作成する。圧電振動子３４は、前記電報カード台紙２３に直接貼付される。【選択図】図１
2007074612.tif 000002
【特許請求の範囲】
【請求項１】
電報依頼者から音声メッセージの添付指示を受けて、該依頼者側の端末から通信網経由で前記依頼者の発声による音声メッセージの音声データを受け取る受付手段と、前記受付手段から音声データを受け取り音声メモリに書き込む音声データ書込み手段と、前記音声データの書き込まれた音声メモリが組み込まれた音声チップと前記音声メモリから音声データに対応した電気信号が印加される圧電振動素子とを、電文内容が印刷された電報カード台紙に取り付けて電報カードを作成する取付け装置と、を具備する電報システム。
【請求項２】
旅券購入者から旅券の配送指示を受けると共に音声メッセージの添付指示を受けて、該購入者側の端末から通信網経由で前記購入者の発声による音声メッセージの音声データを受け取る受付手段と、前記受付手段から購入旅券に関する発券指示を受けて旅券を発券する発券装置と、前記受付手段から音声データを受け取り音声メモリに書き込む音声データ書込み手段と、前記音声データの書き込まれた音声メモリが組み込まれた音声チップと前記音声メモリから音声データに対応した電気信号が印加される圧電振動素子とを紙カードに取り付けて音声チップ付きカードを作成する取付け装置と、を具備し、前記音声チップ付きカードと前記旅券とを同封して配送指示された場所へ配送する旅券配送システム。
【請求項３】
グリーティングカード購入者からグリーティングカードの配送指示を受けると共に音声メッセージの添付指示を受けて、該購入者側の端末から通信網経由で前記購入者の発声による音声メッセージの音声データを受け取る受付手段と、前記受付手段から購入グリーティングカード情報を受けてグリーティングカードを出力するカード出力装置と、前記受付手段から音声データを受け取り音声メモリに書き込む音声データ書込み手段と、前記音声データの書き込まれた音声メモリが組み込まれた音声チップと前記音声メモリから音声データに対応した電気信号が印加される圧電振動素子とを紙製のグリーティングカードに取り付けて音声チップ付きグリーティングカードを作成する取付け装置と、を具備し、前記音声チップ付きグリーティングカードを配送指示された場所へ配送するグリーティングカード配送システム。
【請求項４】
前記圧電振動子は、前記電報カード台紙に直接貼付されたことを特徴とする請求請１記載の電報システム。
【請求項５】
前記圧電振動子は、前記紙カードに直接貼付されたことを特徴とする請求請２記載の旅券配送システム。
【請求項６】
前記圧電振動子は、前記グリーティングカードに直接貼付されたことを特徴とする請求請３記載のグリーティングカード配送システム。
【発明の詳細な説明】
【技術分野】
【０００１】
本発明は、依頼者自身の発声による声（いわゆる肉声）を音声メッセージとして電文その他の紙媒体と共に受取人の居る場所まで配送する、紙媒体による音声メッセージ配送システムに関する。
【背景技術】
【０００２】
現在、結婚等の祝電にメロディーを付けるサービスが行われているが、依頼者の肉声を電報カードと一緒に送り届けることができれば、依頼者の気持ちをより効果的に相手に伝えることが出来る。例えば、依頼者の音声も電文と一緒に受信人に送り届ける音声メッセージ付き電報カードシステムがある（特許文献１）。発信人が電報局に電話をして音声メッセージを伝え、その肉声の音声メッセージを電報局で磁気テープに記録して電報用紙に貼り付けて受信人へ配送する。電報用紙に貼り付けられた磁気テープから音声メッセージを再生する場合は、音声再生機に電報用紙の磁気テープ部分を読み取らせてスピーカから再生する仕組みとなっている。
【０００３】
しかしながら、上記特許文献１に開示された音声メッセージ付き電報システムの場合、受信人において電報用紙の磁気テープ部分を読み取るスピーカ付き音声再生装置の設備が必要となるため、手軽に音声メッセージを再生するまでには至らなかった。
【０００４】
なお、受信者において音声再生装置の設備が無くても音声メッセージを聞けるようにした情報伝達システムが提案されている（特許文献２）。依頼者の音声メッセージを、音声再生機能を備えた小型の情報記録媒体である音声カードに記録し、該音声カードと電報用紙とを受信者に配送するようにしている。音声カードは音声データを再生できるＣＰＵ及びスピーカをＩＣカードやメモリカードに組み込んだ構造を想定している。
【特許文献１】特開平８−７０３６４号公報
【特許文献２】特開平１５−１５２８８７号公報
【発明の開示】
【発明が解決しようとする課題】
【０００５】
しかしながら、電報用紙と音声カードとが別体になっていると、配送及び受信者における保管が煩雑である。電報用紙のような紙媒体は極めて薄い一方、音声データを再生できるＣＰＵ及びスピーカを組み込んだＩＣカードやメモリカードは電報用紙に比べて相当な厚さとなる。特にスピーカの占める容積が問題となる。そのため、単に電報用紙に音声カードを貼り付けただけでは、紙媒体として扱うには困難なほど厚くなってしまう。
【０００６】
なお、電報用紙に限らず、肉声による音声メッセージを再生可能な紙媒体を実現しようとした場合、音声データを再生できるＣＰＵ及びスピーカを組み込んだＩＣカードやメモリカードを貼付する方式では、紙媒体の機能（主に薄さ）を損なうほどに厚くなってしまうといった共通の課題が存在する。
【０００７】
本発明は、以上のような実情に鑑みてなされたもので、肉声による音声メッセージを再生可能な紙媒体を実現する音声メッセージ配送システムを提供することを目的とする。
【課題を解決するための手段】
【０００８】
本発明の第１の態様は、電報依頼者から音声メッセージの添付指示を受けて、該依頼者側の端末から通信網経由で前記依頼者の発声による音声メッセージの音声データを受け取る受付手段と、前記受付手段から音声データを受け取り音声メモリに書き込む音声データ書込み手段と、前記音声データの書き込まれた音声メモリが組み込まれた音声チップと前記音声メモリから音声データに対応した電気信号が印加される圧電振動素子とを、電文内容が印刷された電報カード台紙に取り付けて電報カードを作成する取付け装置と、を具備する電報システムである。
【０００９】
このように構成された電報システムによれば、音声メモリに電報依頼者の発声による音声メッセージの音声データが記憶される。その音声メモリは音声データを読み出して電気信号に変換して出力する音声チップに組み込まれる。この音声チップは、音声メモリから出力される電気信号が音声信号として印加される圧電振動素子と組み合わせて電報カード台紙に取り付けられる。音声信号として印加された圧電振動素子が振動して電報カード台紙に波動信号を伝える結果、電報カード台紙が音声メッセージの音を発することとなる。圧電振動素子はコーン紙を振動させて空気の粗密により音を伝播させる方式のスピーカに比べて薄型化が可能なため、紙媒体のとしての機能を損なうことなく音声再生機能を持たせることが出来る。
【００１０】
本発明の第２の態様は、旅券購入者から旅券の配送指示を受けると共に音声メッセージの添付指示を受けて、該購入者側の端末から通信網経由で前記購入者の発声による音声メッセージの音声データを受け取る受付手段と、前記受付手段から購入旅券に関する発券指示を受けて旅券を発券する発券装置と、前記受付手段から音声データを受け取り音声メモリに書き込む音声データ書込み手段と、前記音声データの書き込まれた音声メモリが組み込まれた音声チップと前記音声メモリから音声データに対応した電気信号が印加される圧電振動素子とを紙カードに取り付けて音声チップ付きカードを作成する取付け装置と、を具備し、前記音声チップ付きカードと前記旅券とを同封して配送指示された場所へ配送する旅券配送システムである。
【００１１】
このように構成された旅券配送システムによれば、旅券購入者の音声メッセージが音声データの形式で記録された音声メモリが組み込まれた音声チップと前記音声メモリから音声データに対応した電気信号が印加される圧電振動素子とを紙カードに取り付ける。音声信号として印加された圧電振動素子が振動して紙カードに波動信号を伝える結果、紙カードが音声メッセージの音を発することとなる。圧電振動素子はコーン紙を振動させて空気の粗密により音を伝播させる方式のスピーカに比べて薄型化が可能なため、紙媒体のとしての機能を損なうことなく音声再生機能を持たせることができる。
【００１２】
本発明の第３の態様は、グリーティングカード購入者からグリーティングカードの配送指示を受けると共に音声メッセージの添付指示を受けて、該購入者側の端末から通信網経由で前記購入者の発声による音声メッセージの音声データを受け取る受付手段と、前記受付手段から購入グリーティングカード情報を受けてグリーティングカードを出力するカード出力装置と、前記受付手段から音声データを受け取り音声メモリに書き込む音声データ書込み手段と、前記音声データの書き込まれた音声メモリが組み込まれた音声チップと前記音声メモリから音声データに対応した電気信号が印加される圧電振動素子とを紙製のグリーティングカードに取り付けて音声チップ付きグリーティングカードを作成する取付け装置と、を具備し、前記音声チップ付きグリーティングカードを配送指示された場所へ配送するグリーティングカード配送システムである。
【００１３】
このように構成されたグリーティングカード配送システムによれば、カード購入者の音声メッセージが音声データの形式で記録された音声メモリが組み込まれた音声チップと前記音声メモリから音声データに対応した電気信号が印加される圧電振動素子とをグリーティングカードに取り付ける。音声信号として印加された圧電振動素子が振動してグリーティングカードに波動信号を伝える結果、グリーティングカードが音声メッセージの音を発することとなる。圧電振動素子はコーン紙を振動させて空気の粗密により音を伝播させる方式のスピーカに比べて薄型化が可能なため、紙媒体のとしての機能を損なうことなく音声再生機能を持たせることができる。
【００１４】
前記圧電振動子は、前記電報カード台紙、紙カード又はグリーティングカードに直接貼付されることが望ましい。圧電振動子を電報カード台紙等の紙媒体に直接貼付することで極めて薄いスピーカを紙媒体と一緒に構成することができ、紙媒体としての機能を損なうことなく音声再生機能を実現できる。
【発明の効果】
【００１５】
本発明によれば、肉声による音声メッセージを再生可能な紙媒体を実現する音声メッセージ配送システムを提供できる。
【発明を実施するための最良の形態】
【００１６】
以下、本発明の一実施の形態について図面を参照しながら具体的に説明する。本実施の形態は電気通信事業者が既に提供する電報システム上に構築したシステムであるが、本発明はこのよう電報システムに限定されるものではない。
【００１７】
図１は、本実施の形態にかかる音声メッセージ付き電報システムのシステム構成図である。電報依頼者１０は、電話機１１から電報サービスを提供しているサービス提供事業者の運営する音声受付センター１２に回線接続する。音声受付センター１２は既存の電報システムにおける電報局内に設置することができる。電話機１１から本サービスの電話番号にダイヤルすると、最寄の交換局１３から公衆回線網１４を経由して音声受付センター１２に接続する。
【００１８】
音声受付センター１２は、発呼端末（電話機１０）に対して音声ガイダンスを流して、依頼者特定情報、受信者特定情報、電文内容及び音声メッセージを入力するための操作手順を説明する。電話機１０を上げたまま音声ガイダンスに従って依頼者が肉声の音声メッセージを電話機１０に対して入力すると、この音声メッセージは公衆回線網１４を通って音声受付センター１２に入力される。依頼者特定情報、受信者特定情報、電文内容も一緒に音声受付センター１２に送られる。
【００１９】
なお、音声受付センター１２は、電話回線だけでなくインターネット経由でもアクセス可能に構成されている。依頼者１０が音声受付センター１２にアクセスするために使用する端末１５は、キーボード１６、マウス１７等の操作機器の他に依頼者の音声を入力するためのマイク１８を備える。端末１５は、インターネット１９経由の通信を可能にする通信環境が整えられているものとする。依頼者１０が端末１５に操作入力して音声受付センター１２にアクセスする。音声受付センター１２は、通信プロトコルとしてＨＴＴＰを使って端末１５で起動されているブラウザにガイダンス画面を表示し、当該ガイダンス画面を介して音声付き電報カードの受付けを行う。依頼者がガイダンス画面に従ってマイク１８から入力した音声メッセージは音声データに変換されてインターネット１９経由で音声受付センター１２へ送信される。
【００２０】
本例では、音声受付センター１２が音声ガイダンス又はガイダンス画面を介して電文も一緒に受け付けるものとするが、音声データと電文との対応関係が取れていれば必ずしも一緒に受け付ける必要は無い。
【００２１】
本実施の形態の音声メッセージ付き電報システムは、音声受付センター１２から送信された電文を紙媒体である電報カード台紙に印刷する電文印字装置２１と、音声受付センター１２から送信された音声データを音声メモリに書き込む音声メモリ書込み装置２２と、電文を印刷した電報カード台紙２３に音声チップ及び圧電振動素子を取り付ける音声チップ取付け装置２４とを備える。なお、予め電報カード台紙に音声チップ及び圧電振動素子を取り付けておき、そこに電文を印刷すると共に音声データを記憶するようにしても良い。
【００２２】
本実施の形態では、電文印字装置２１、音声メモリ書込み装置２２及び音声チップ取付け装置２３を全国各地の電報カード局に設置するものとする。音声受付センター１２は、電報配送先住所を管轄する受信側電報局に音声データ及び電文（文字メッセージデータ）等の受付データを送信する。
【００２３】
音声チップ取付け装置２４により音声チップ及び圧電振動素子の取り付けられた電報カード２５は、配送者が受信者特定情報で特定される受取人２６の住所へ配送する。
【００２４】
以上のようにして、依頼者の肉声による音声メッセージ（音声データ）を記憶した音声チップが貼付された電報カード２５が作成される。
【００２５】
ここで、電報カード２５の構造について詳しく説明する。図２は音声チップの取り付けられた見開き形式の電報カード２５を完全に開いた状態の概観図である。紙媒体である電報カード台紙３１の一方の見開き面にメッセージが印刷されている。このメッセージは電文印字装置２１が印刷したものである。電報カード台紙３１の他方の見開き面に薄板状をなす音声チップ３３及び平坦形状をなす圧電振動素子３４が貼り付けられている。音声チップ３３及び圧電振動素子３４は音声チップ取付け装置２４が電報カード台紙３１に取り付けたものである。なお、音声チップ３３及び圧電振動素子３４が見えないように、これらの上に化粧紙を被せるようにしても良い。
【００２６】
図３は圧電振動素子３４の取り付け状態を示す断面図である。同図に示すように、圧電振動素子３４は、電報カード台紙３１に直接貼付した導電性の金属層３５と、該金属層３５の上面に形成された圧電材料からなる圧電層３６とから構成されている。圧電材料としてＰＺＴ（チタン酸ジルコン酸鉛）を用いることが出来る。このように金属層３５と圧電層３６とから極めて薄い圧電振動素子３４を構成し、この薄板状の圧電振動素子３４を電報カード台紙３１に直接貼り合わせて発音部品を構成している。
【００２７】
音声メモリ３７は、専用の書込み装置である音声メモリ書込み装置２２から音声データが書き込まれている。音声データは音声メモリ３７から電気信号である音声信号の状態で出力され、リード線３８ａと３８ｂを介して圧電層３６に電圧を印加する。圧電振動素子３４は、コーン紙を用いた従来のスピーカとは異なり、金属層３５、圧電層３６からなるもので、音声信号を加えることで、圧電層３６の伸縮により圧電振動素子自体を振動させ、その振動を電報カード台紙３１に波動信号として伝えて台紙自体から音声を発する。
【００２８】
図４は音声チップ３３の構成を示す図である。薄板基板４０に、音声メモリ３７、電源４１、センサスイッチ４２を組み込んだ構成となっている。薄板基板４０は電報カード台紙３１に貼り付けた状態で紙媒体としての機能（薄くて折り曲げ自在なことによる、取り扱いやすさ、管理の容易さ等）を損なわない厚さに設定している。音声メモリ３７は、電源４１から電力供給を受けていて、記憶している音声データを電気信号（音声信号）に変換して出力する構造となっている。センサスイッチ４２は、明るさの変化を検出する光センサ、使用者の接触を温度（体温）で検知する感温センサ、使用者の接触を圧力で感知する感圧センサ、使用者の接触を静電容量の変化で感知する静電センサ、などが適用可能である。これらのセンサスイッチ４２は薄板基板４０に作り込む又は組み込むのに十分な薄さを実現できる。センサスイッチ４２は使用者の接触又は電報カード台紙が開かれたことを感知すると、検知信号を音声メモリ３７に対して出力する。音声メモリ３７は、検知信号の入力をトリガにして音声信号を出力し、これにより圧電振動素子３４が振動し、この振動が電報カード台紙３１に波動信号の状態で伝わり、空気の粗密状態ではなく、波動信号の状態で電報カード台紙３４から音声メッセージの音が発生する。
【００２９】
このように本実施の形態によれば、薄板状に構成した圧電振動素子３４を電報カード台紙３１に直接貼り付ける構成としたので、スピーカ部分を極めて薄くすることができ、波動原理を使って電報カード台紙３１から音声メッセージを発することができ、肉声による音声メッセージを再生可能な紙媒体を実現できる。
【００３０】
なお、以上の実施の形態では圧電振動素子３４を電報カード台紙３１に直接貼付した例を説明したが、図５、６に示すように基板４０上に圧電振動素子３４を作り込む構成とすることも出来る。
【００３１】
このように構成した場合、圧電振動素子３４を音声信号で振動させると、その振動が基板４０を通して電報カード台紙３１に波動信号の形で伝えられ、波動原理を使って電報カード台紙３１から音声メッセージを発することができる。
【００３２】
本発明は、電報システムに限られるものではなく、依頼者が特定の相手（送り先）に対して送付する紙媒体の送付物に依頼者の肉声による音声メッセージを付加する用途に広く適用可能である。以下、電報以外の紙媒体に適用する例を説明する。
【００３３】
依頼者が旅券（列車の乗車券を含む）を相手にプレゼントする場合、依頼者の音声メッセージを紙媒体であるメッセージカードに付加して旅券と一緒に送付するシステムを考える。
【００３４】
図７は旅券配送システムのシステム構成図である。サービス提供事業者は、旅券を発行する旅券発行事業者とする。依頼者１０が端末１５から音声受付センター１２にアクセスして、ウェブサイト上で所望の旅券を購入し、送付先情報を入力する。このとき、ガイダンス画面に音声メッセージの有無を確認する項目を表示する。依頼者が音声メッセージの入力を希望したならば、マイク１８又は電話機１１から音声メッセージを入力してもらう。音声受付センター１２は、依頼者が送信してきた音声メッセージの音声データを音声メモリ書込み装置２２に渡す一方、送付先情報及び旅券発行指示を発券装置５０へ渡す。
音声メモリ書込み装置２２は、音声メモリに音声データを書き込む。この音声メモリを付けた音声チップ３３及び圧電振動素子３４を音声チップ取付け装置２４が紙媒体であるカード５２に貼付する。この音声チップ付きカード５３と発券装置５０が発券した旅券とを封筒５４に収容して、受取人２６へ配送する。
【００３５】
なお、列車の乗車券のように商品自体に音声チップ（圧電振動素子を含む）を貼付することが困難な場合に、本例のように音声チップを貼付するカード５３を当該商品と一緒に送付することは有効な手段である。またカード５３を同封せずに、封筒５４に直接に音声チップ（圧電振動素子を含む）を貼付するようにしても良い。
【００３６】
依頼者がグリーティングカードを相手に贈る場合、依頼者の音声メッセージを紙媒体であるグリーティングカードに付加して送付するシステムを考える。
【００３７】
図８はグリーティングカード配送システムのシステム構成図である。サービス提供事業者は、グリーティングカードをインターネット上のウェブサイトで販売するカード販売会社とする。依頼者１０が端末１５から音声受付センター１２にアクセスして、ウェブサイト上で所望のグリーティングカードを購入し、送付先情報及びメッセージ文を入力する。このとき、ガイダンス画面に音声メッセージの有無を確認する項目を表示する。依頼者が音声メッセージの入力を希望したならば、マイク１８又は電話機１１から音声メッセージを入力してもらう。音声受付センター１２は、依頼者が送信してきた音声メッセージの音声データを音声メモリ書込み装置２２に渡す一方、送付先情報、メッセージ文及び購入したグリーティングカードの種別をカード発行システムへ送信する。
【００３８】
カード発行システムの音声メモリ書込み装置２２は、音声受付センター１２から送信された音声データを音声メモリに書き込む。またカード出力装置６０は、音声受付センター１２から受信したカード種別からグリーティングカードを選択し、一緒に送られてきたメッセージ文を該グリーティングカードに印字する。音声チップ取付け装置２４は、音声メモリを付けた音声チップ３３及び圧電振動素子３４を、カード出力装置６０が出力したグリーティングカード６１の所定位置に貼付する。この音声チップ付きグリーティングカード６２を受取人２６へ配送する。
【００３９】
なお、上記以外にも音声チップ（圧電振動素子を含む）を貼付する対象となる紙媒体として、カタログ、本、各種書類、ポスター、パンフレット等が挙げられる。これら紙媒体自体又はカードに音声チップ３３及び圧電振動素子３４、又は圧電振動素子３４を基板４０に埋め込んだ音声チップを貼付する。
【００４０】
本発明は上述した実施の形態及びその変形例に限定されるものではなく、本発明の要旨を逸脱しない範囲で種々変形実施可能である。
【産業上の利用可能性】
【００４１】
本発明は、依頼者の肉声を音声メッセージとして電文その他の紙媒体と共に受取人へ配送して簡易に音声メッセージを再生させるサービスに適用可能である。
【図面の簡単な説明】
【００４２】
【図１】一実施の形態に係る音声メッセージ付き電報システムのシステム構成図
【図２】上記実施の形態における電報カードを説明するための概略図
【図３】図２に示す電報カードと圧電振動素子の断面構造を説明するための図
【図４】電報カードに貼付した音声チップの機能ブロック図
【図５】変形例にかかる音声チップの機能ブロック図
【図６】図５に示す音声チップの断面構造を説明するための図
【図７】他の実施の形態に係る旅券配送システムのシステム構成図
【図８】さらに他の実施の形態に係るグリーティングカード配送システムのシステム構成図
【符号の説明】
【００４３】
１０  依頼者
１１  電話機
１２  音声受付センター
１３  交換局
１４  公衆回線網
１５  端末
１６  キーボード
１７  マウス
１８  マイク
１９  インターネット
２１  電文印字装置
２２  音声メモリ書込み装置
２３  音声チップ取付け装置
２５  電報カード
２６  受取人
３１  電報カード台紙
３３  音声チップ
３４  圧電振動素子
３５  金属層
３６  圧電層
３７  音声メモリ
４１  電源
４２  センサスイッチ
【図１】
2007074612.tif 000003
【図２】
2007074612.tif 000004
【図３】
2007074612.tif 000005
【図４】
2007074612.tif 000006
【図５】
2007074612.tif 000007
【図６】
2007074612.tif 000008
【図７】
2007074612.tif 000009
【図８】
2007074612.tif 000010